【事件の表示】
　特許第２８７８２２１号「耐火スクリーン装置」の請求項１、２に係る特許に対する特許異議の申立てについて、次のとおり決定する。
【結　論】
　訂正を認める。
　特許第２８７８２２１号の請求項１ないし２に係る特許を維持する。
【理　由】
１．手続の経緯
　特許第２８７８２２１号の発明についての出願は、平成８年１２月１１日に出願され、平成１１年１月２２日にその発明について特許の設定登録がなされ、その後、異議申立人赤塚慶太により特許異議申立がなされ、平成１２年１０月３日付け取消理由通知がなされ、その指定期間内である平成１２年１２月１１日に特許異議意見書および訂正請求書が提出されたものである。
　
２．訂正の適否についての判断
（１）訂正の内容
　特許権者が求めている訂正の内容は、上記訂正請求書に添付された全文訂正明細書に記載された、以下のａ〜ｌである。
ａ．請求項１に記載された
「被遮蔽部の両側部に相対して固定された上下方向のガイドレールと、この両側部のガイドレールに沿って昇降自在に設けられ下降して前記被遮蔽部を遮蔽した際に下端部を前記被遮蔽部の床面に湾曲して着床する可撓性の着床片部とする難燃性耐火シート体と、前記着床片部の上方に位置して前記難燃性耐火シート体にこの難燃性耐火シート体の幅方向に沿って取り付けられ前記床面に湾曲して着床した前記着床片部を着床状態に保持する難燃性重錘体と、を具備したことを特徴とする耐火スクリーン装置。」を
「被遮蔽部の両側部に相対して固定された上下方向のガイドレールと、
　この両側部のガイドレールに沿って昇降自在に設けられ下降して前記被遮蔽部を遮蔽した際に前記被遮蔽部の床面に湾曲して着床する可撓性の着床片部が下端部に形成されかつ離間自在の重ね代が幅方向の縁部に形成された前側シート片および後側シート片からなる難燃性耐火シート体と、
　この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、
　前記難燃性耐火シート体の前記後側シート片の後側に前記後側シート片の幅方向に沿って取り付けられ、前記後側シート片の前記着床片部の上方に位置し、前記床面に湾曲して着床した前記後側シート片の前記着床片部を着床状態に保持する後側の難燃性重錘体とを具備し、　
　前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される
　ことを特徴とする耐火スクリーン装置。」に訂正する。
　
ｂ．請求項２に記載された
「難燃性重錘体は、難燃性耐火シート体の幅方向に沿って取り付けられた難燃性袋状体と、この難燃性袋状体内に封入された難燃性粒子状物と、からなることを特徴とする請求項１記載の耐火スクリーン装置。」を
「前側シート片の前側の難燃性重錘体は、前記前側シート片の幅方向に沿って取り付けられた難燃性袋状体と、この難燃性袋状体内に封入された難燃性粒子状物とからなり、
　後側シート片の後側の難燃性重錘体は、前記後側シート片の幅方向に沿って取り付けられた難燃性袋状体と、この難燃性袋状体内に封入された難燃性粒子状物とからなる
　ことを特徴とする請求項１記載の耐火スクリーン装置。」に訂正する。
　
ｃ．明細書の段落【０００８】の
「請求項１記載の耐火スクリーン装置は、被遮蔽部の両側部に相対して固定された上下方向のガイドレールと、この両側部のガイドレールに沿って昇降自在に設けられ下降して前記被遮蔽部を遮蔽した際に下端部を前記被遮蔽部の床面に湾曲して着床する可撓性の着床片部とする難燃性耐火シート体と、前記着床片部の上方に位置して前記難燃性耐火シート体にこの難燃性耐火シート体の幅方向に沿って取り付けられ前記床面に湾曲して着床した前記着床片部を着床状態に保持する難燃性重錘体と、を具備したものである。」を
「請求項１記載の耐火スクリーン装置は、被遮蔽部の両側部に相対して固定された上下方向のガイドレールと、　この両側部のガイドレールに沿って昇降自在に設けられ下降して前記被遮蔽部を遮蔽した際に前記被遮蔽部の床面に湾曲して着床する可撓性の着床片部が下端部に形成されかつ離間自在の重ね代が幅方向の縁部に形成された前側シート片および後側シート片からなる難燃性耐火シート体と、　この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、　前記難燃性耐火シート体の前記後側シート片の後側に前記後側シート片の幅方向に沿って取り付けられ、前記後側シート片の前記着床片部の上方に位置し、前記床面に湾曲して着床した前記後側シート片の前記着床片部を着床状態に保持する後側の難燃性重錘体とを具備し、　前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持されるものである。」に訂正する。
ｄ．明細書の段落【００１６】の
「請求項２記載の耐火スクリーン装置は、請求項１記載の耐火スクリーン装置において、難燃性重錘体は、難燃性耐火シート体の幅方向に沿って取り付けられた難燃性袋状体と、この難燃性袋状体内に封入された難燃性粒子状物と、からなるものである。」を
「請求項２記載の耐火スクリーン装置は、請求項１記載の耐火スクリーン装置において、前側シート片の前側の難燃性重錘体は、前記前側シート片の幅方向に沿って取り付けられた難燃性袋状体と、この難燃性袋状体内に封入された難燃性粒子状物とからなり、　後側シート片の後側の難燃性重錘体は、前記後側シート片の幅方向に沿って取り付けられた難燃性袋状体と、この難燃性袋状体内に封入された難燃性粒子状物とからなるものである。」に訂正する。
　
ｅ．図面において、もとの【図４】および【図５】を削除し、これに伴い、もとの【図６】および【図７】をそれぞれ新たな【図４】および【図５】とする。
　
ｆ．上記ｅの訂正に伴って、明細書の【０００２】段落中の「図６」を「図４」に訂正し、明細書の【０００３】段落中の「図７」を「図５」に訂正し、明細書の【０００４】段落中の「図６」、「図７」をそれぞれ「図４」、「図５」に訂正し、明細書の【０００５】段落中の「図７」を「図５」に訂正し、明細書の【０００６】段落中の「図６」、「図７」をそれぞれ「図４」、「図５」に訂正する。
　
ｇ．明細書の段落【００４４】〜【００５０】の記載を削除する。
　
ｈ．明細書の【００５１】段落中の「つぎに、各実施の形態では、」を「つぎに、実施の形態では、」に訂正する。
　
ｉ．明細書の【００５５】段落の
「請求項２の発明によれば、請求項１の発明の効果に加え、難燃性重錘体は、難燃性耐火シート体の幅方向に沿って取り付けられた難燃性袋状体と、この難燃性袋状体内に封入された難燃性粒子状物とからなり、」を
「請求項２の発明によれば、請求項１の発明の効果に加え、前側の難燃性重錘体は、前側シート片の幅方向に沿って取り付けられた難燃性袋状体と、この難燃性袋状体内に封入された難燃性粒子状物とからなり、後側の難燃性重錘体は、後側シート片の幅方向に沿って取り付けられた難燃性袋状体と、この難燃性袋状体内に封入された難燃性粒子状物とからなり、」に訂正する。
　
ｊ．明細書の【図面の簡単な説明】【図４】段落の
「他の実施の形態を示す耐火スクリーン装置の正面図である。」を
「従来例を示すもので（イ）は耐火スクリーンの一部の正面図、
（ロ）は同上横断平面図である。」に訂正する。
　
ｋ．明細書の【図面の簡単な説明】【図５】段落の
「同上難燃性耐火シート体の拡大断面図である。」を
「他の従来例を示す耐火スクリーンの正面図である。」に訂正する。
　
ｌ．明細書の【符号の説明】段落の
「１ 　ガイドレール
　２ 　被遮蔽部
　14 　難燃性耐火シート体
　17 　床面
　18，24 　着床片部
　19，25 　難燃性重錘体
　21，26 　難燃性袋状体
　22，27 　難燃性粒子状物」　を
「１ 　ガイドレール
　２ 　被遮蔽部
　14 　難燃性耐火シート体
　15a 　前側シート片
　15b 　後側シート片
　16 　重ね代
　17 　床面
　18 　着床片部
　19 　難燃性重錘体
　21 　難燃性袋状体
　22 　難燃性粒子状物」　に訂正する。
　
（２）訂正の目的の適否、新規事項の有無及び拡張・変更の存否
　《上記ａの訂正について》
　上記ａの訂正では、請求項１に記載されていた「難燃性耐火シート体」に「離間自在の重ね代が幅方向の縁部に形成された前側シート片および後側シート片からなる」を附加して構成を限定し、また、同項に記載されていた「難燃性重錘体」を「前側の難燃性重錘体」と「後側の難燃性重錘体」とに分け、これら「難燃性重錘体」の取り付け位置を「難燃性耐火シート体」からそれぞれ「前側シート片」あるいは「後側シート片」と限定し、さらに、同項に記載されていた「耐火スクリーン装置」に「前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される」を附加して構成を限定し、同請求項を減縮したものである。
　そして、このａの訂正に関連する記載は、特許明細書の段落【００２４】，【００２８】，【００３５】，【００３６】および【００４１】に示されているので、上記ａの訂正は、特許明細書及び図面に記載された事項の範囲内において、訂正したものであり、また、実質上特許請求の範囲を拡張又は変更するものでもない。
　　
《上記ｂの訂正について》
　上記ｂの訂正は、請求項１の記載と整合をとるため、請求項２に記載されていた「難燃性重錘体」を「前側の難燃性重錘体」と「後側の難燃性重錘体」とに分けたものであり、明瞭でない記載の釈明に相当する。
　そして、このｂの訂正に関連する記載は、特許明細書の段落【００２３】〜【００２８】に示されているので、上記ｂの訂正は、特許明細書及び図面に記載された事項の範囲内において、訂正したものであり、また、実質上特許請求の範囲を拡張又は変更するものでもない。
　
《上記ｃ，ｄの訂正について》
　上記ｃ，ｄの訂正は、特許請求の範囲と発明の詳細な説明との整合をとるため、明細書の段落【０００８】および【００１６】の記載をそれぞれ請求項１および２の記載に沿った内容に訂正するものであり、明瞭でない記載の釈明に相当する。そして、この訂正は、特許明細書に記載した事項の範囲内であり、又、実質上特許請求の範囲を拡張し又は変更するものでもない。
　
《上記ｅ，ｇの訂正について》
　明細書の段落【００４４】〜【００５０】、および図面の図４、図５には、本件発明の「他の実施の形態」について記載されていたが、この実施の形態は、上記ａ，ｂの訂正に伴って、特許請求の範囲の請求項１および２の記載と矛盾するものになった。
　上記ｅ，ｇの訂正は、この実施の形態に関する記載を削除するとともに、この図４、図５の削除に伴って、後続の図の図番を繰り上げるものであり、明瞭でない記載の釈明に相当する。そして、この訂正は、特許明細書に記載した事項の範囲内であり、又、実質上特許請求の範囲を拡張し又は変更するものでもない。
　
《上記ｆ，ｈの訂正について》
上記ｆ，ｈの訂正は、上記ｅ，ｇの訂正で行われた削除に関連して、明細書の他の部分の記載に整合性を持たせたものであり、明瞭でない記載の釈明に相当する。そして、この訂正は、特許明細書に記載した事項の範囲内であり、又、実質上特許請求の範囲を拡張し又は変更するものでもない。
　
《上記ｉの訂正について》
　上記ｉの訂正は、特許請求の範囲と発明の詳細な説明との整合をとるため、明細書の段落【００５５】の記載を請求項２の記載に沿った内容に訂正するものであり、明瞭でない記載の釈明に相当する。そして、この訂正は、特許明細書に記載した事項の範囲内であり、又、実質上特許請求の範囲を拡張し又は変更するものでもない。
　
《上記ｊ〜ｌの訂正について》
上記ｊ〜ｌの訂正は、上記ａ，ｂ，ｅおよびｇで行われた訂正に関連して、明細書の他の部分（「図面の簡単な説明」および「符号の説明」）の記載に整合性を持たせたものであり、明瞭でない記載の釈明に相当する。そして、この訂正は、特許明細書に記載した事項の範囲内であり、又、実質上特許請求の範囲を拡張し又は変更するものでもない。
　
（３）独立特許要件
ａ．訂正後の請求項１，２に係る発明
　訂正後の請求項１，２に係る発明は、上記訂正請求書に添付された全文訂正明細書（以下、「訂正明細書」という。）の、特許請求の範囲の請求項１，２に記載された次のとおりのものである。
　　「【請求項１】　被遮蔽部の両側部に相対して固定された上下方向のガイドレールと、
　この両側部のガイドレールに沿って昇降自在に設けられ下降して前記被遮蔽部を遮蔽した際に前記被遮蔽部の床面に湾曲して着床する可撓性の着床片部が下端部に形成されかつ離間自在の重ね代が幅方向の縁部に形成された前側シート片および後側シート片からなる難燃性耐火シート体と、
　この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、
　前記難燃性耐火シート体の前記後側シート片の後側に前記後側シート片の幅方向に沿って取り付けられ、前記後側シート片の前記着床片部の上方に位置し、前記床面に湾曲して着床した前記後側シート片の前記着床片部を着床状態に保持する後側の難燃性重錘体とを具備し、　
　前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される
　ことを特徴とする耐火スクリーン装置。
　　　【請求項２】　前側シート片の前側の難燃性重錘体は、前記前側シート片の幅方向に沿って取り付けられた難燃性袋状体と、この難燃性袋状体内に封入された難燃性粒子状物とからなり、
　後側シート片の後側の難燃性重錘体は、前記後側シート片の幅方向に沿って取り付けられた難燃性袋状体と、この難燃性袋状体内に封入された難燃性粒子状物とからなる
　ことを特徴とする請求項１記載の耐火スクリーン装置。」
　
ｂ．訂正後の請求項１に係る発明について
《先願の発明》
　当審が、平成１２年１０月３日付け取消理由通知で引用した先願は、次のものである。
　特願平８−３５５１８号（特開平９−２０３２８１号、出願日：平成８年１月３０日）（以下、「先願」という。）
　
・この先願の願書に最初に添付された明細書【０００６】段落（特開平９−２０３２８１号公報第４欄２８〜３１行参照。）には
「【実施例】実施例は、図１〜図９に示され、この出願の発明の防火又は防煙防火シャッターを出火時に建物の開口部を遮蔽する防煙防火シャッターに適用した例である。防煙防火シャッター０１は、」と記載されている。
　
・同明細書【０００８】段落（特開平９−２０３２８１号公報第５欄１１〜１７行参照。）には
「【０００８】遮蔽幕１３をつくる耐火クロースとしては、例えば、厚手のシリカクロース、アルミナクロース、セラミッククロース等の耐熱性無機繊維布をシリコン樹脂、クロロスルホン化ポリエチレン［例えば、パイパロンゴム(商品名)］、塩化ビニリデン［例えば、サラン樹脂］等のコーティング剤で処理して、通気性をなくした不燃性布を使う。」と記載されている。
　
・同明細書【０００８】段落（特開平９−２０３２８１号公報第５欄２５〜２９行参照。）には、
「下側の辺の近傍部分を折り曲げて、その辺に沿ってSUS線の縫目Ｓｔ2，Ｓｔ3にて縫合し、左側及び右側の辺に沿って袋状部１３ｂを形成するとともに、下側の辺に沿って袋状部１３ｃを形成する。」と記載されている。
　
・同明細書【０００９】段落（特開平９−２０３２８１号公報第５欄３８〜４２行参照。）には
「【０００９】遮蔽幕１３の下側の袋状部１３ｃには、開口部１の横方向の長さに略等しい長さの丸鋼棒からなる一つの重錘又は所定長さに分割された丸鋼棒からなる複数の重錘１７を挿入し、遮蔽幕１３の上側の部分を巻取シャフト１１の外周に適宜の手段で固着する。」と記載されている。
　
・同明細書【００１０】段落（特開平９−２０３２８１号公報第６欄１８〜４６行には
「【００１０】遮蔽幕１３の案内装置２０は、溝形縦部材２１、シール装置２２、案内棒２３及び支え具２４で構成されている。溝形縦部材２１は、図５に示すように、細長い矩形の金属板を横断面が矩形状になるように曲げて形成され、開口部１に面する右側及び左側の壁４，５の縁部に沿って取付けられ、この溝形縦部材２１の開口部１に面する対の辺部分２１ｂ，２１ｃ間に上下方向に伸びる溝２１ａが設けられている。辺部分２１ｂには内側に曲げらた垂直面２２ａ1のある辺部分２２ａが形成され、この垂直面２２ａ1に遮蔽幕１３を摺接させるようになっている。他方の辺部分２１ｃの内側には横断面Ｕ字形の長い部材２２ｂが固着され、長い部材２２ｂの垂直面２２ｂ1に前記シール片１８ｃと同じシール片２２ｃを当て、その内側に抑え板２２ｄを当て、抑え板２２ｄ及びシール片２２ｃを部材２２ｂにボルトｂ4止めして、左側及び右側のシール装置２２が形成される。このシール装置２２は、そのシール片２２ｃの自由端側の縁部２２ｃ1を、辺部分２２ａの垂直面２２ａ1に摺接させた遮蔽幕１３に当てて、遮蔽幕１３の左側及び右側をシールする。なお、辺部分２１ｂの内側に垂直面２２ａ1のある辺部分２２ａを形成する代わりに、図６に示すように、辺部分２１ｂの内側に垂直面のある長い部材２２ｅを固着し、この長い部材２２ｅにシール片２２ｆ及び抑え板２２ｇをボルトｂ5止めして、辺部分２１ｂに固着した長い部材２２ｅに取付けたシール片２２ｆの自由端側の縁部２２ｆ1と辺部分２１ｃに固着した長い部材２２ｂに取付けたシール片２２ｃの自由端側の縁部２２ｃ1とで遮蔽幕１３を挾み、遮蔽幕１３の左側及び右側をシールするようにしてもよい。」と記載されている。
　
・同明細書【００１６】段落（特開平９−２０３２８１号公報第９欄１１〜２７行参照。）には
「なお、火災時に遮蔽幕１３が何らかの原因（例えば、高温による遮蔽幕１３の収縮）により、遮蔽幕１３の下端が床面から浮き上がる恐れのある場合には、例えば、図８に示すように、遮蔽幕１３の下縁部に遮蔽幕１３と同じ耐火クロースからなる袋状部１３ｃを縫い付け、この袋状部１３ｃの外側に遮蔽幕１３と同じ耐火クロースからなる長い覆布１３Ａａを配し、長い覆布１３Ａａの長手方向の両側の縁部１３Ａａ1を遮蔽幕１３の下部にSUS線の縫目Ｓｔ4にて縫い付けて、大きい袋状部１３Ａを形成し、内側の小さい袋状部１３ｃ内に丸鋼棒からなる重錘１７を挿入する。このようにすると、図９に示すように、火災時に遮蔽幕１３の重錘１７を挿入した袋状部１３ｃが浮き上がっても、大きい袋状部１３Ａの下部が床面３ａに当たっているから、遮蔽幕１３の下側と床面３ａとの間に隙間ができることがなく、遮蔽幕１３の下側からの煙や炎の漏出を完全に防止することができる。」と記載されている。
　
・上記先願の願書に最初に添付された図面、図９には、“大きい袋状部１３Ａの下部が床面３ａに当たっている”様子が記載されている。
　
《対比》
　訂正後の請求項１に係る発明を、上記先願の願書に最初に添付された明細書又は図面に記載された発明（以下、「先願発明」という。」）と対比すると、
上記先願の願書に最初に添付された明細書に記載された
・「建物の開口部（特開平９−２０３２８１号公報第４欄２９，３０行参照　　。）」、
・「案内装置２０」、
・「大きい袋状部１３Ａの下部（特開平９−２０３２８１号公報第９欄２４　　行参照。）」、
・「不燃性布を使った遮蔽幕１３（【０００８】段落参照。）」、
・「丸鋼棒からなる重錘１７（【０００９】段落参照。）」、
・「防煙防火シャッター０１」
は、
　上記請求項１に記載された、
・「被遮蔽部」、
・「ガイドレール」、
・「着床片部」、
・「難燃性耐火シート体」、
・「難燃性重錘体」、
・「耐火スクリーン装置。」
にそれぞれ相当すると認められる。
　また、上記請求項１には「下端部を前記被遮蔽部の床面に湾曲して着床する可撓性の着床片部」と記載されているが、上記先願の願書に最初に添付された図面の、図９にも“大きい袋状部１３Ａの下部が床面３ａに当たっている”様子が記載されており、同図によれば、大きい袋状部１３Ａの下部は床面３ａに当たった結果、タマネギ形状に湾曲している。
　上記請求項１には「前記床面に湾曲して着床した前記着床片部を着床状態に保持する難燃性重錘体」と記載されているが、上記引用箇所中の、先願の願書に最初に添付された明細書【００１６】段落には「大きい袋状部１３Ａを形成し、内側の小さい袋状部１３ｃ内に丸鋼棒からなる重錘１７を挿入する。このようにすると、図９に示すように、火災時に遮蔽幕１３の重錘１７を挿入した袋状部１３ｃが浮き上がっても、大きい袋状部１３Ａの下部が床面３ａに当たっているから、遮蔽幕１３の下側と床面３ａとの間に隙間ができることがなく、遮蔽幕１３の下側からの煙や炎の漏出を完全に防止することができる。」と同様な内容が開示されている。
《一致点》
　したがって、訂正後の請求項１に係る発明は、先願発明と次の点で一致している。
「被遮蔽部の両側部に相対して固定された上下方向のガイドレールと、
　この両側部のガイドレールに沿って昇降自在に設けられ下降して前記被遮蔽部を遮蔽した際に前記被遮蔽部の床面に湾曲して着床する可撓性の着床片部が下端部に形成された難燃性耐火シート体と、
　この難燃性耐火シート体の幅方向に沿って取り付けられ、前記着床片部の上方に位置し、前記床面に湾曲して着床した前記着床片部を着床状態に保持する難燃性重錘体とを具備し、　
たことを特徴とする耐火スクリーン装置。
　
《相違点》
　そして、両発明は、次の点で相違する。
　訂正後の請求項１に係る発明では、
「難燃性耐火シート体を、離間自在の重ね代が幅方向の縁部に形成された前側シート片および後側シート片からなるようにするとともに、難燃性重錘体を前側の難燃性重錘体と後側の難燃性重錘体とに分け、この前側の難燃性重錘体を前記前側シート片の前側に取り付け、かつこの後側の難燃性重錘体を前記後側シート片の後側に取り付け、前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される」が、
先願発明では、そのようになされていない点。
　
《判断》
　この相違点により、訂正後の請求項１に係る発明は、訂正明細書【００３５】段落に記載された
「また、各難燃性重錘体19は各前側シート片15a に対してはその前側に位置してそれぞれ取り付けられ、各後側シート片15bに対してはその後側に位置してそれぞれ取り付けられていることにより、各前側シート片15a と各後側シート片15bとにより被遮蔽部２を遮蔽した際には前後のシート片15a ，15b間に難燃性重錘体19が介在することなくこの前後のシート片15a ，15b の対向する重ね代16の相互が十分に重なり合った状態で被遮蔽部２が遮蔽される。」という発明の効果、
あるいは、訂正明細書【００３７】段落に記載された
「したがって、各難燃性耐火シート片15及びこの各難燃性耐火シート片15の着床片部18にて被遮蔽部２が全面的に気密状に遮蔽され、この各難燃性耐火シート片15にて手前側と反対側が気密状態に仕切られ、火災時の煙り等が流出することが防止され、煙りの拡散と延焼が防止される。」
という発明の効果を得られる。
　このように上記の相違点により、訂正後の請求項１に係る発明が、顕著な効果を達成できる以上、この請求項１に係る発明が先願発明であるということはできない。
　
ｃ．訂正後の請求項２に係る発明について
《先願の発明》
　上記の先願には、前項「ｂ．訂正後の請求項１に係る発明について」で引用した箇所に加えて、
・上記先願の願書に最初に添付された明細書【０００９】段落（特開平９−２０３２８１号公報第５欄４２〜４５行参照。）には
「なお、袋に砂や鉄粉を詰めたものを重錘として袋状部１３ｃに挿入するようにしてもよいし、袋状部１３ｃに砂や鉄粉をそのまま詰めて重錘としてもよい。」と記載されている。
　
《一致点》
　したがって、訂正後の請求項２に係る発明は、上記先願発明と、次の点で一致している。
「被遮蔽部の両側部に相対して固定された上下方向のガイドレールと、
　この両側部のガイドレールに沿って昇降自在に設けられ下降して前記被遮蔽部を遮蔽した際に前記被遮蔽部の床面に湾曲して着床する可撓性の着床片部が下端部に形成された難燃性耐火シート体と、
　この難燃性耐火シート体の幅方向に沿って取り付けられ、前記着床片部の上方に位置し、前記床面に湾曲して着床した前記着床片部を着床状態に保持する難燃性重錘体とを具備し、　
たことを特徴とする耐火スクリーン装置であって、
　難燃性重錘体は、難燃性耐火シート体の幅方向に沿って取り付けられた難燃性袋状体と、この難燃性袋状体内に封入された難燃性粒子状物とからなることを特徴とする耐火スクリーン装置。」
　
《相違点》
　そして、両発明は、前項「ｂ．訂正後の請求項１に係る発明について」に記載された相違点と同じ相違点で相違する。
　
《判断》
　したがって、前項「ｂ．訂正後の請求項１に係る発明について」で検討したと同様に、訂正後の請求項２に係る発明が先願発明であるということはできない。
　
ｄ．まとめ
　このように、訂正後の請求項１および２に係る発明は、いずれも、先願発明であるとはいえない。
　
（４）むすび
　以上のとおりであるから、上記訂正は、特許法第１２０条の４第２項及び同条第３項で準用する同法第１２６条第２項乃至第４項の規定に適合するので、当該訂正を認める。
　
３．特許異議申立てについて
（１）本件発明
　本件の発明は、上記訂正明細書の、特許請求の範囲の請求項１，２に記載されたとおりのものである。（前記「２．（３）ａ．」参照。）
　
（２）申し立て理由の概要
　特許異議申立人　赤塚慶太は、
甲第１号証：特開平９−２０３２８１号公報
を提出して、本件請求項１，２に係る発明は、甲第１号証に記載された発明であり、特許法第２９条の２の規定により特許を受けることができない。したがって、これらの発明の特許は特許法第１１３条第１項第２号の規定に該当するので取り消されるべきものである旨主張している。
　
（３）判断
　本件請求項１および２に係る発明は、上記２．（３）で示したように、取消理由通知で引用した先願の願書に最初に添付された明細書又は図面に記載された発明であるとはいえない。
　この先願は上記甲第１号証と同じであるので、特許異議申立ての理由及び証拠によっては、本件請求項１および２に係る発明の特許を取り消すことはできない。
　また、他に本件請求項１および２に係る発明の特許を取り消すべき理由を発見しない。
　よって、結論のとおり決定する。
【異議決定日】
平成１３年４月２５日（２００１．４．２５）
【訂正の要旨】
訂正の要旨
　特許権者が求めている訂正の要旨は、上記訂正請求書に添付された全文訂正明細書に記載された、以下のａ〜ｌである。
ａ．請求項１に記載された
「被遮蔽部の両側部に相対して固定された上下方向のガイドレールと、この両側部のガイドレールに沿って昇降自在に設けられ下降して前記被遮蔽部を遮蔽した際に下端部を前記被遮蔽部の床面に湾曲して着床する可撓性の着床片部とする難燃性耐火シート体と、前記着床片部の上方に位置して前記難燃性耐火シート体にこの難燃性耐火シート体の幅方向に沿って取り付けられ前記床面に湾曲して着床した前記着床片部を着床状態に保持する難燃性重錘体と、を具備したことを特徴とする耐火スクリーン装置。」を
「被遮蔽部の両側部に相対して固定された上下方向のガイドレールと、
　この両側部のガイドレールに沿って昇降自在に設けられ下降して前記被遮蔽部を遮蔽した際に前記被遮蔽部の床面に湾曲して着床する可撓性の着床片部が下端部に形成されかつ離間自在の重ね代が幅方向の縁部に形成された前側シート片からなる難燃性耐火シート体と、
　この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、
　前記難燃性耐火シート体の前記後側シート片の後側に前記後側シート片の幅方向に沿って取り付けられ、前記後側シート片の前記着床片部の上方に位置し、前記床面に湾曲して着床した前記後側シート片の前記着床片部を着床状態に保持する後側の難燃性重錘体とを具備し、
　前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される
　ことを特徴とする耐火スクリーン装置。」に訂正する。
ｂ．請求項２に記載された
「難燃性重錘体は、難燃性耐火シート体の幅方向に沿って取り付けられた難燃性袋状体と、この難燃性袋状体内に封入された難燃性粒子状物と、からなることを特徴とする請求項１記載の耐火スクリーン装置。」を
「前側シート片の前側の難燃性重錘体は、前記前側シート片の幅方向に沿って取り付けられた難燃性袋状体と、この難燃性袋状体内に封入された難燃性粒子状物とからなり、
　後側シート片の後側の難燃性重錘体は、前記後側シート片の幅方向に沿って取り付けられた難燃性袋状体と、この難燃性袋状体内に封入された難燃性粒子状物とからなる
　ことを特徴とする請求項１記載の耐火スクリーン装置。」に訂正する。
ｃ．明細書の段落【０００８】の
「請求項１記載の耐火スクリーン装置は、被遮蔽部の両側部に相対して固定された上下方向のガイドレールと、この両側部のガイドレールに沿って昇降自在に設けられ下降して前記被遮蔽部を遮蔽した際に下端部を前記被遮蔽部の床面に湾曲して着床する可撓性の着床片部とする難燃性耐火シート体と、前記着床片部の上方に位置して前記難燃性耐火シート体にこの難燃性耐火シート体の幅方向に沿って取り付けられ前記床面に湾曲して着床した前記着床片部を着床状態に保持する難燃性重錘体と、を具備したものである。」を
「請求項１記載の耐火スクリーン装置は、被遮蔽部の両側部に相対して固定された上下方向のガイドレールと、　この両側部のガイドレールに沿って昇降自在に設けられ下降して前記被遮蔽部を遮蔽した際に前記被遮蔽部の床面に湾曲して着床する可性の着床片部が下端部に形成されかつ離間自在の重ね代が幅方向の縁部に形成された前側シート片および後側シート片からなる難燃性耐火シート体と、　この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、　前記難燃性耐火シート体の前記後側シート片の後側に前記後側シート片の幅方向に沿って取り付けられ、前記後側シート片の前記着床片部の上方に位置し、前記床面に湾曲して着床した前記後側シート片の前記着床片部を着床状態に保持する後側の難燃性重錘体とを具備し、　前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持されるものである。」に訂正する。
ｄ．明細書の段落【００１６】の
「請求項２記載の耐火スクリーン装置は、請求項１記載の耐火スクリーン装置において、難燃性重錘体は、難燃性耐火シート体の幅方向に沿って取り付けられた難燃性袋状体と、この難燃性袋状体内に封入された難燃性粒子状物と、からなるものである。」を
「請求項２記載の耐火スクリーン装置は、請求項１記載の耐火スクリーン装置において、前側シート片の前側の難燃性重錘体は、前記前側シート片の幅方向に沿って取り付けられた難燃性袋状体と、この難燃性袋状体内に封入された難燃性粒子状物とからなり、　後側シート片の後側の難燃性重錘体は、前記後側シート片の幅方向に沿って取り付けられた難燃性袋状体と、この難燃性袋状体内に封入された難燃性粒子状物とからなるものである。」に訂正する。
ｅ．図面において、もとの【図４】および【図５】を削除し、これに伴い、もとの【図６】および【図７】をそれぞれ新たな【図４】および【図５】とする。
ｆ．上記ｅの訂正に伴って、明細書の【０００２】段落中の「図６」を「図４」に訂正し、明細書の【０００３】段落中の「図７」を「図５」に訂正し、明細書の【０００４】段落中の「図６」、「図７」をそれぞれ「図４」、「図５」に訂正し、明細書の【０００５】段落中の「図７」を「図５」に訂正し、明細書の【０００６】段落中の「図６」、「図７」をそれぞれ「図４」、「図５」に訂正する。
ｇ．明細書の段落【００４４】〜【００５０】の記載を削除する。
ｈ．明細書の【００５１】段落中の「つぎに、各実施の形態では、」を「つぎに、実施の形態では、」に訂正する。
ｉ．明細書の【００５５】段落の
「請求項２の発明によれば、請求項１の発明の効果に加え、難燃性重錘体は、難燃性耐火シート体の幅方向に沿って取り付けられた難燃性袋状体と、この難燃性袋状体内に封入された難燃性粒子状物とからなり、」を
「請求項２の発明によれば、請求項１の発明の効果に加え、前側の難燃性重錘体は、前側シート片の幅方向に沿って取り付けられた難燃性袋状体と、この難燃性袋状体内に封入された難燃性粒子状物とからなり、後側の難燃性重錘体は、後側シート片の幅方向に沿って取り付けられた難燃性袋状体と、この難燃性袋状体内に封入された難燃性粒子状物とからなり、」に訂正する。
ｊ．明細書の【図面の簡単な説明】【図４】段落の
「他の実施の形態を示す耐火スクリーン装置の正面図である。」を
「従来例を示すもので（イ）は耐火スクリーンの一部の正面図、
（ロ）は同上横断平面図である。」に訂正する。
ｋ．明細書の【図面の簡単な説明】【図５】段落の
「同上難燃性耐火シート体の拡大断面図である。」を
「他の従来例を示す耐火スクリーンの正面図である。」に訂正する。
ｌ．明細書の【符号の説明】段落の
「１　　ガイドレール
　２　　被遮蔽部
　１４　難燃性耐火シート体
　１７　床面
　１８，２４　　着床片部
　１９，２５　　難燃性重錘体
　２１，２６　　難燃性袋状体
　２２，２７　　難燃性粒子状物」を
「１　　ガイドレール
　２　　被遮蔽部
　１４　難燃性耐火シート体
　１５ａ　前側シート片
　１５ｂ　後側シート片
　１６　重ね代
　１７　床面
　１８　着床片部
　１９　難燃性重錘体
　２１　難燃性袋状体
　２２　難燃性粒子状物」に訂正する。
（５４）【発明の名称】
耐火スクリーン装置
（５７）【特許請求の範囲】
　【請求項１】　被遮蔽部の両側部に相対して固定された上下方向のガイドレールと、
　この両側部のガイドレールに沿って昇降自在に設けられ下降して前記被遮蔽部を遮蔽した際
に前
が下端部に形成されかつ離間自在の重ね代が幅方向の縁部に形成された前側シート片および後側シート片からなる
　
この難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する前側の難燃性重錘体と、
　
前記難燃性耐火シート体の前記前側シート片の前側に前記前側シート片の幅方向に沿って取り付けられ、前記前側シート片の前記着床片部の上方に位置し、前記床面に湾曲して着床した前記前側シート片の前記着床片部を着床状態に保持する後側の難燃性重錘体とを具備し、
　
前記難燃性耐火シート体にて前記被遮蔽部を遮蔽した際には、互いに対向する前記前側シート片の前記重ね代と前記後側シート片の前記重ね代とは、前記各難燃性重錘体の重量にて、互いに重なり合った状態で緊張状態に保持される
　ことを特徴とする耐火スクリーン装置。
　【請求項２】　
前側シート片の前側の難燃性重錘体は、前記前側シート片の幅方向に沿って取りつけられた難燃性袋状体と、この難燃性袋状体内に封入された難燃性粒子状物とからなり、
　
後側シート片の前側の難燃性重錘体は、前記前側シート片の幅方向に沿って取り付けられた難燃性袋状体と、この難燃性袋状体内に封入された難燃性粒子状物とからなる
　ことを特徴とする請求項１記載の耐火スクリーン装置。
【発明の詳細な説明】
　【０００１】
　【発明の属する技術分野】
　本発明は耐火スクリーン装置に係り、火災時に煙りの拡散と延焼を防止するものに関する。
　【０００２】
　【従来の技術】
　従来、この種の耐火スクリーン装置としては、たとえば、図
４
　【０００３】
　また、図
５
　【０００４】
　【発明が解決しようとする課題】
　前記図
４
５
４
　【０００５】
　また、図
５
　【０００６】
　さらに、前記図
４
５
　【０００７】
　本発明は、このような点に鑑みてなされたもので、簡単な構成によって床面を損傷することなく被遮蔽部を確実に遮蔽することができ、火災時の煙り等の流出を確実に防止でき、脱出や救助活動等が容易で、つまずく危険がなく、したがって、避難、誘導、救助活動等を迅速かつ円滑に行うことに十分に寄与できる耐火スクリーン装置を提供することを目的とするものである。
　【０００８】
　【課題を解決するための手段】
　請求項１記載の耐火スクリーン装置は、被遮蔽部の両側部に相対して固定された上下方向のガイドレールと、この両側部のガイドレールに沿って昇降自在に設けられ下降して前記被遮蔽部を遮蔽した際
に前
が下端部に形成されかつ離間自在の重ね代が幅方向の縁部に形成された前側シート片および後側シート片からなる
この難燃性シート体の前期前側シート片の前記に前記前側シート片の幅方向に沿って取りつけられ、前記前側シート片の前記着床片部の上方に位置し、前記床面に湾曲して着床した前記前側シート片の前記着床片部を着床状態に保持する前側の難燃性重錘体と、前記難燃性耐火シート体の前記後側シート片の後側に前記後側シート片の幅方向に沿って取りつけられ、前記後側シート片の前記着床片部の上方に位置し、前記床面に湾曲して着床した前記後側シート片の前記着床片部を着床状態に保持する後側の難燃性重錘体とを具備し、前記難燃性耐火シート体にて前記被遮蔽部を遮蔽した際には、互いに対向する前記前側シート片の前記重ね代と前記後側シートの前記重ね代とは、前記各難燃性重錘体の重量にて、互いに重なり合った状態で緊張状態に保持されるものである。
　【０００９】
　そして、被遮蔽部を遮蔽する際には難燃性耐火シート体を下降することにより、この難燃性耐火シート体の下端部の着床片部が床面に向かって下降されるが、この際、難燃性耐火シート体の幅方向の難燃性重錘体にて難燃性耐火シート体の下降が助勢され、この難燃性耐火シート体がスムーズに下降される。
　【００１０】
　そうして、難燃性耐火シート体の着床片部の下端部が床面に当接されるとともに、この着床片部が撓みながら下降され、この着床片部が難燃性重錘体にて床面に隙間なく密接状態に湾曲して着床される。したがって、難燃性耐火シート体にて被遮蔽部が気密状に遮蔽される。
　【００１１】
　この際、難燃性重錘体は着床片部の上方に位置して難燃性耐火シート体に取り付けられていることにより、着床片部が床面に密接状態に湾曲して着床されても難燃性重錘体が床面に着床することがないので、この難燃性重錘体が床面に衝突して床面を損傷するようなことがない。
　【００１２】
　また、難燃性耐火シート体にて被遮蔽部を遮蔽した際には、難燃性重錘体の重量にて難燃性耐火シート体が緊張状態に保持され、かつ、この難燃性重錘体の重量にて着床片部が床面に湾曲して着床し密接された着床状態に保持され、したがって、この難燃性耐火シート体にて被遮蔽部から火災時の煙り等が漏れて流出することが防止される。
　【００１３】
　つぎに、非常時の脱出や救助活動時には、難燃性耐火シート体を押し開いて潜り抜けるが、この際、難燃性重錘体は着床片部の上方に位置して難燃性耐火シート体に取り付けられていることにより、難燃性重錘体につまずいたり、衝突して負傷する危険がなく容易に潜り抜けて脱出や救助活動を行うことができる。
　【００１４】
　また、被遮蔽部を潜り抜けた後は、難燃性重錘体の重量により難燃性耐火シート体が自動的に被遮蔽部を遮蔽する方向に戻り、この難燃性耐火シート体の下端部の着床片部が再び床面に密接状態に湾曲して着床され、潜り抜け口が閉じられて被遮蔽部が全面的に遮蔽される。
　【００１５】
　したがって、火災状況等において、避難、誘導、救助活動が迅速かつ円滑に行われるようになる。
　【００１６】
　請求項２記載の耐火スクリーン装置は、請求項１記載の耐火スクリーン装置において、
前側シート片の前側の難燃性重錘体は、前記前側シート片の幅方向に沿って取り付けられた難燃性袋状体と、この難燃性袋状体内に封入された難燃性粒子状物からなり、後側シート片の後側の難燃性重錘体は、前記後側シート片の幅方向に沿って取り付けられた難燃性袋状体と、この難燃性袋状体内に封入された難燃性粒子状物とからなるものである。
　【００１７】
　そして、難燃性粒子状物は難燃性袋状体に封入されていることにより、非常時の脱出や救助活動時に難燃性重錘体につまずいたり、難燃性粒子状物に衝突して負傷する危険がなく、金属棒状物のような危険を伴うことなく潜り抜けて脱出や救助活動を行うことができる。
　【００１８】
　【発明の実施の形態】
　以下、本発明の一実施の形態を図面を参照して説明する。
　【００１９】
　１は被遮蔽部２の相対する両側壁部にそれぞれ相対して垂直状に固定された上下方向の左右のガイドレールで、この左右のガイドレール１は相対する内側面にガイド溝３をそれぞれ開口して断面略コ字形状に形成されている。
　【００２０】
　また、前記被遮蔽部２の上框体等の上側壁部４には前記左右のガイドレール１の上端部をそれぞれ挿入したスクリーンボックス５が固定され、このスクリーンボックス５は下端部に前記左右のガイドレール１のガイド溝３にそれぞれ連通して開口した左右方向の案内口６を有している。前記被遮蔽部２は出入口、非常口及び通路等の開口部を意味している。
　【００２１】
　また、前記スクリーンボックス５内には左右方向の巻取ドラム７を有する巻取軸８が回転自在に軸架され、この巻取軸８の一端部にはこの巻取軸８を回転駆動する回転輪９が固着されている。また、前記回転輪９の下方に位置して前記スクリーンボックス５内には正逆転可能なモータ１０が固定され、このモータ１０の出力軸１１には前記回転輪９に対向する位置に駆動輪１２が固着され、この駆動輪１２と前記回転輪９との間には無端回行体１３が回行自在に懸架されている。そして、前記モータ１０の出力は減速されて前記巻取軸８に伝達されるようになっている。
　【００２２】
　つぎに、前記巻取ドラム７には前記被遮蔽部２を遮蔽する昇降自在の難燃性耐火シート体１４の一端部（上端部）が固着されて巻き付けられ、この難燃性耐火シート体１４は前記巻取ドラム７の巻き戻しにより前記左右のガイドレール１に沿って下降され前記被遮蔽部２を遮蔽するようになっている。
　【００２３】
　前記難燃性耐火シート体１４は、ガラスクロス、シリカクロス等からなる一枚仕立ての難燃性布地等にて所定の幅で短冊状に形成された上下方向の複数の難燃性耐火シート片１５からなり、この複数の難燃性耐火シート片１５は、その幅方向の両側縁部を所定の幅の重ね代１６として形成され、この両側縁部の重ね代１６をそれぞれ重ね合わせて略のれん状に取り付けられるようになっている。
　【００２４】
　そして、前記複数枚の難燃性耐火シート片１５は、前記巻取ドラム７の長さ方向の一端部から他端部に向かって一枚ずつ交互に前後方向に位置をずらしてそれぞれの重ね代１６を互いに重なり合う状態に並設して固着され、すなわち、前側に配置する前側シート片１５ａと、この前側シート片１５ａの重ね代１６の後側に重ね代１６を重ね合わせる後側シート片１５ｂと、を一枚ずつ交互に配置してそれぞれの重ね代１６を互いに重なり合う状態に並設され、この各難燃性耐火シート片１５の上端部が前記巻取ドラム７に固着されている。
　【００２５】
　また、前記各難燃性耐火シート片１５は、その自由端側の下端部をそれぞれ前記被遮蔽部２の床面１７に着床させる可撓性の着床片部１８として形成され、この各着床片部１８は前記床面１７に着床された際には撓んで湾曲して前記床面１７に密接状態に着床されるようになっている。そして、前記各難燃性耐火シート片１５は着床片部１８が床面１７に接して撓んで湾曲し床面１７に密接状態に着床される分だけ多く下降されるようになっている。また前記各難燃性耐火シート片１５は互いに反対方向に向かって分離されるようになっている。
　【００２６】
　つぎに、前記各難燃性耐火シート片１５の下端部の着床片部１８の上方に位置してすなわちこの着床片部１８の上部近傍に位置して前記各難燃性耐火シート片１５にはこの難燃性耐火シート片１５の幅方向に沿って難燃性重錘体１９がそれぞれ取り付けられている。
　【００２７】
　前記各難燃性重錘体１９は、前記難燃性耐火シート片１５の幅方向に沿って難燃性縫着糸２０にて縫着して取り付けられた難燃性袋状体２１と、この難燃性袋状体２１内に封入された砂、鉛粒等の難燃性粒子状物２２とにより略偏平棒状に形成されている。また、前記難燃性粒子状物２２は一体に固化されることなく流動性を有する状態で封入されている。
　【００２８】
　そして、前記各難燃性重錘体１９は、前記各前側シート片１５ａに対してはその前側に位置してそれぞれ取り付けられ、前記各後側シート片１５ｂに対してはその後側に位置してそれぞれ取り付けられている。そうして、各前側シート片１５ａと各後側シート片１５ｂとにより被遮蔽部２を遮蔽した際にはそれぞれ対向する重ね代１６の相互が十分に重なり合うようになっている。
　【００２９】
　前記難燃性耐火シート体１４の各難燃性耐火シート片１５、難燃性重錘体１９の難燃性袋状体２１及び難燃性粒子状物２２並びに難燃性縫着糸２０は火の熱に強く燃えにくいものからなっている。
　【００３０】
　つぎに、前記実施の形態の作用を説明する。
　【００３１】
　火災時にモータ１０を作動してこのモータ１０からの出力により巻取軸８が各難燃性耐火シート片１５を巻き戻す方向に回転駆動されると、この巻取軸８の巻取ドラム７にて各難燃性耐火シート片１５が順次巻き戻されながら左右のガイドレール１のガイド溝３に案内されて下降され、この各難燃性耐火シート片１５の下端部の着床片部１８がそれぞれ同時に床面１７に向かって下降される。
　【００３２】
　この際、各難燃性耐火シート片１５の幅方向の難燃性重錘体１９にて難燃性耐火シート片１５の下降がそれぞれ助勢され、この各難燃性耐火シート片１５がそれぞれスムーズに下降される。
　【００３３】
　そして、各難燃性耐火シート片１５の着床片部１８の下端部がそれぞれ床面１７に当接されるとともに、この各着床片部１８が撓みながらそれぞれ下降され、この各着床片部１８が床面１７に支えられてそれぞれ湾曲された状態で、この各着床片部１８がそれぞれの難燃性重錘体１９にて床面１７に隙間なく密接状態に着床されるとともに、モータ１０の作動が停止される。
　【００３４】
　この際、各難燃性重錘体１９は着床片部１８の上方近傍に位置してそれぞれの難燃性耐火シート片１５に取り付けられていることにより、各着床片部１８が床面１７に密接状態に湾曲して着床されても各難燃性重錘体１９が床面１７に着床することがないので、この各難燃性重錘体１９が床面１７に衝突して床面１７を損傷するようなことがない。
　【００３５】
　また、各難燃性重錘体１９は各前側シート片１５ａに対してはその前側に位置してそれぞれ取り付けられ、各後側シート片１５ｂに対してはその後側に位置してそれぞれ取り付けられていることにより、各前側シート片１５ａと各後側シート片１５ｂとにより被遮蔽部２を遮蔽した際には前後のシート片１５ａ，１５ｂ間に難燃性重錘体１９が介在することなくこの前後のシート片１５ａ，１５ｂの対向する重ね代１６の相互が十分に重なり合った状態で被遮蔽部２が遮蔽される。
　【００３６】
　また、各難燃性耐火シート片１５及びこの各着床片部１８にて被遮蔽部２を遮蔽した際には、各難燃性重錘体１９の重量にてそれぞれの難燃性耐火シート片１５が対向する重ね代１６の相互を十分に重ね合せた状態で緊張状態に保持され、かつ、この各難燃性重錘体１９の重量にて各着床片部１８が床面１７に湾曲して着床し密接された着床状態に保持される。
　【００３７】
　したがって、各難燃性耐火シート片１５及びこの各難燃性耐火シート片１５の着床片部１８にて被遮蔽部２が全面的に気密状に遮蔽され、この各難燃性耐火シート片１５にて手前側と反対側が気密状態に仕切られ、火災時の煙り等が流出することが防止され、煙りの拡散と延焼が防止される。
　【００３８】
　つぎに、非常時の脱出や救助活動時には、各難燃性耐火シート片１５の中の選択した所定の位置の難燃性耐火シート片１５を押し開いて潜り抜けるが、この際、その難燃性重錘体１９は着床片部１８の上方に位置して難燃性耐火シート片１５に取り付けられていることにより、その難燃性重錘体１９につまずいたり、衝突して負傷する危険がなく容易に潜り抜けて脱出や救助活動を行うことができる。
　【００３９】
　この際、前側シート片１５ａを押し開く場合には手前側から反対側に向かって押し開き、後側シート片１５ｂを押し開く場合には反対側から手前側に向かって押し開くことにより、この前側シート片１５ａまたは後側シート片１５ｂの重ね代１６が隣接する重ね代１６の抵抗を受けることなく離間され、その前側シート片１５ａまたは後側シート片１５ｂが容易に押し開かれ、脱出や救助活動が迅速に行われる。
　【００４０】
　また、各難燃性重錘体１９は、それぞれの難燃性耐火シート片１５の幅方向に沿って取り付けられた難燃性袋状体２１と、難燃性粒子状物２２とからなり、その難燃性粒子状物２２は難燃性袋状体２１に封入されていることにより、非常時の脱出や救助活動時に難燃性重錘体１９につまずいたり、難燃性粒子状物２２に衝突しても負傷する危険がなく、金属棒状物のような危険を伴うことなく容易に潜り抜けて脱出や救助活動を行うことができる。
　【００４１】
　また、被遮蔽部２を潜り抜けた後は、その難燃性重錘体１９の重量によりその難燃性耐火シート片１５が自動的に被遮蔽部２を遮蔽する方向に戻り、その難燃性耐火シート片１５の両側縁部の重ね代１６が隣接する難燃性耐火シート片１５の重ね代１６に重なり合い、かつ、この難燃性耐火シート片１５の下端部の着床片部１８が再び床面１７に密接状態に湾曲して着床され、潜り抜け口が閉じられて被遮蔽部２が全面的に遮蔽される。
　【００４２】
　したがって、火災状況等においては被遮蔽部２が全面的に遮蔽されるが、避難、誘導、救助活動が迅速かつ円滑に行われるようになる。
　【００４３】
　つぎに、前記実施の形態において、各後側シート片１５ｂには手前側から反対側に向かって押し開く非常口マークをそれぞれ表示し、各前側シート片１５ａには反対側から手前側に向かって押し開く非常口マークをそれぞれ表示し、すなわち、開き勝手側に非常口マークをそれぞれ表示することにより、避難、誘導、救助活動等が更に迅速に混乱なく整然と行われるようになる。
　【００４４】　（削除）
　【００４５】　（削除）
　【００４６】　（削除）
　【００４７】　（削除）
　【００４８】　（削除）
　【００４９】　（削除）
　【００５０】　（削除）
　【００５１】
　つ
記実
　【００５２】
　【発明の効果】
　請求項１の発明によれば、着床片部の上方に位置して難燃性耐火シート体に取り付けた難燃性重錘体にて難燃性耐火シート体をスムーズに下降させることができるとともに、この難燃性重錘体にて難燃性耐火シート体の下端部の着床片部を押圧して床面に確実に密接状態に湾曲して着床した着床状態に保持することができ、この際、難燃性重錘体が床面上に落下することがないので、この難燃性重錘体にて床面を損傷することがなく、床面上の小さな障害物に影響されることなく着床片部を下降させて床面に確実に着床させることができる。
　【００５３】
　また、難燃性重錘体は難燃性耐火シート体に着床片部の上方に位置して取り付けたので、脱出や救助活動時に難燃性重錘体につまずく危険がなく、脱出や救助活動等を容易にかつ迅速に行うことができる。
　【００５４】
　したがって、簡単な構成によって被遮蔽部を確実に遮蔽でき、火災時の煙り等の流出を確実に防止して煙りが拡散したり延焼することを防止できる一方、避難、誘導、救助活動等を迅速に行うことに十分に寄与できる耐火スクリーン装置を提供することができる。
　【００５５】
　請求項２の発明によれば、請求項１の発明の効果に加え、
前側の難燃性重錘体は前側シート片の幅方向に沿って取り付けられた難燃性袋状体とこの難燃性袋状体内に封入された難燃性粒子状物とからなり、後側の難燃性重錘体は後側シート片の幅方向に沿って取り付けられた難燃性袋状体とこの難燃性袋状体内に封入された難燃性粒子状物とからなり、
【図面の簡単な説明】
　【図１】
　本発明の一実施の形態を示す耐火スクリーン装置の正面図である。
　【図２】
　同上側面図である。
　【図３】
　同上難燃性耐火シート体の重ね代を重ね合わせた状態の拡大断面図である。
　【図４】
　
従来例を示すもので（イ）は耐火スクリーンの一部の正面図、（ロ）は同上横断平面図である。
　【図５】
　
他の従来例を示す耐火スクリーンの正面図である。
　【符号の説明】
　１　　　ガイドレール
　２　　　被遮蔽部
　１４　　難燃性耐火シート体
　
１５ａ
前側シート片
　
１５ｂ
後側シート片
　
１６
重ね代
　１７　　床面
　
１８　
　
１９　
　
２１　
　
２２　
【図面】